(57)【要約】【課題】  増幅器９等の電気回路に仕様変更があったとしてもエンクロージャ７の設計変更を行なう必要のないスピーカを提供する。【解決手段】  本発明に係るスピーカにおいては、エンクロージャ７内にツイータ31及びウーファ32が配備され、該エンクロージャ７の下端部には、エンクロージャ７を立てた姿勢に保つためのスタンド８が連結されている。該スタンド８には、ツイータ31及びウーファ32へ供給すべき音響信号を増幅するための電源回路91及び増幅器９が収容され、該スタンド８はエンクロージャ７に対して着脱可能に取り付けられている。【選択図】      図１
2005064642.tif 000002
【特許請求の範囲】
【請求項１】
エンクロージャ(７)内にスピーカユニットが配備され、該エンクロージャ(７)の下端部には、エンクロージャ(７)を立てた姿勢に保つためのスタンド(８)が連結されているスピーカにおいて、スタンド(８)には、前記スピーカユニットへ供給すべき音響信号を増幅するための電気回路が収容され、該スタンド(８)は前記電気回路と共に、エンクロージャ(７)に対して着脱可能に取り付けられていることを特徴とするスピーカ。
【請求項２】
スタンド(８)は、前記電気回路と共にエンクロージャ(７)から取り外し可能であって且つ前記電気回路と共にエンクロージャ(７)に取り付け可能にユニット化されている請求項１に記載のスピーカ。
【請求項３】
エンクロージャ(７)内のスピーカユニットから伸びるコード(33)の先端部は、スタンド(８)内に設置された回路基板上のコネクター(96)に連結されている請求項１又は請求項２に記載のスピーカ。
【請求項４】
少なくとも左右一対のスピーカ(３)(４)を含む複数のスピーカへそれぞれ音響信号を供給して各スピーカを鳴動させるマルチチャンネルのスピーカシステムにおいて、前記左右一対のスピーカ(３)(４)はそれぞれ、エンクロージャ(７)内にスピーカユニットを配備して構成され、該エンクロージャ(７)の下端部には、エンクロージャ(７)を立てた姿勢に保つためのスタンド(８)が着脱可能に連結され、少なくとも何れか一方のスピーカのスタンド(８)は、スピーカユニットへ供給すべき音響信号を増幅するための電気回路を内蔵していることを特徴とするスピーカシステム。
【請求項５】
前記左右一対のスピーカ(３)(４)の内、一方のスピーカ(３)のスタンド(８)にのみ前記電気回路が内蔵され、該電気回路によって増幅された左チャンネルの音響信号と右チャンネルの音響信号が両スピーカ(３)(４)のスピーカユニットへ供給される請求項４に記載のスピーカシステム。
【発明の詳細な説明】
【技術分野】
【０００１】
本発明は、左右一対のスピーカを含む複数のスピーカへそれぞれ音響信号を供給して各スピーカを鳴動させるマルチチャンネルのスピーカシステム、並びにこれに用いるスピーカの構造に関するものである。
【背景技術】
【０００２】
従来、この種のスピーカシステムとして図７に示す如く、リスナーの前方中央位置にセンタースピーカ(20)、前方の左右に左チャンネルスピーカ(30)及び右チャンネルスピーカ(40)、後方の左右に左チャンネルスピーカ(50)及び右チャンネルスピーカ(60)を配備すると共に、任意位置(例えば前方の右側)にはサブウーファスピーカ(21)を配備して、ＤＶＤプレーヤ等のオーディオ装置(10)からこれらのスピーカへ音響信号を供給する、マルチチャンネルのスピーカシステムが知られている(特許文献１〜３参照)。
【０００３】
前方左チャンネルスピーカ(30)、前方右チャンネルスピーカ(40)、後方左チャンネルスピーカ(50)及び後方右チャンネルスピーカ(60)にはそれぞれ、ツイータ(31)(41)(51)(61)が設置されている。
例えば前方左チャンネルスピーカ(30)は、図８に示す如く、縦長の筒状を呈するエンクロージャ(70)を具え、該エンクロージャ(70)の下端部には、エンクロージャ(70)を立てた姿勢を保つためのスタンド(80)が連結されている。
エンクロージャ(70)の内部にはツイータ(31)(31)が設置されると共に、ツイータ(31)(31)へ供給すべき音響信号を増幅するための増幅器(92)や電源回路(93)が収容されており、ツイータ(31)(31)から伸びるコード(33)はエンクロージャ(70)内を伸びて増幅器(92)に接続されている。
【０００４】
一方、図７に示すサブウーファスピーカ(21)は、特に低域周波数(例えば１００Ｈｚ以下)の音響を放音する専用のスピーカであって、他の５つのスピーカと共に５.１チャンネルのスピーカシステムが構成されている。
尚、サブウーファスピーカ(21)は、他のスピーカに比べて指向性が低いため、任意位置に設置することが可能である。
【特許文献１】特開平１０−１３６４９８号公報［H04S5/02］
【特許文献２】特開平１１−２２５４００号公報［H04S1/00］
【特許文献３】実用新案登録第３０７２０５７号公報［H04R3/00］
【発明の開示】
【発明が解決しようとする課題】
【０００５】
しかしながら、図８に示す如く電源回路(93)及び増幅器(92)を内蔵した従来のスピーカ(30)においては、エンクロージャ(70)内に電源回路(93)及び増幅器(92)が配備されていたため、電源回路(93)や増幅器(92)の仕様を変更する場合には、ツイータ(31)(31)を含めたエンクロージャ(70)全体の設計変更を行なわねばならない問題があった。
又、製造工程においては、エンクロージャ(70)の形状が同じであっても、電源回路(93)や増幅器(92)の仕様が異なる場合には、スピーカは異なる機種となるため、別ラインでの製造を余儀なくされる問題があった。
【０００６】
そこで本発明の目的は、電気回路の仕様に変更があったとしてもエンクロージャ全体の設計変更を行なう必要がなく、然も、電気回路の仕様が異なる複数機種のスピーカの製造工程においてエンクロージャを共通のラインで製造することが出来るスピーカの構造並びにそのスピーカを用いたスピーカシステムを提供することである。
【課題を解決するための手段】
【０００７】
本発明に係るスピーカにおいては、エンクロージャ(７)内にスピーカユニットが配備され、該エンクロージャ(７)の下端部には、エンクロージャ(７)を立てた姿勢に保つためのスタンド(８)が連結されている。
スタンド(８)には、前記スピーカユニットへ供給すべき音響信号を増幅するための電気回路が収容され、該スタンド(８)は前記電気回路と共に、エンクロージャ(７)に対して着脱可能に取り付けられている。
【０００８】
上記本発明のスピーカにおいては、スタンド(８)を前記電気回路と共にエンクロージャ(７)から取り外し、新たな仕様の電気回路を内蔵したスタンド(８)と交換することにより、電気回路の仕様を変更することが出来る。
又、上記本発明のスピーカによれば、仕様の異なる複数のスピーカの製造工程においてスピーカユニットを内蔵したエンクロージャ(７)を共通のラインで製造し、該エンクロージャ(７)に対して、仕様に応じた電気回路を内蔵したスタンド(８)を連結することにより、複数機種のスピーカを製造することが出来る。
【０００９】
具体的構成において、スタンド(８)は、前記電気回路と共にエンクロージャ(７)から取り外し可能であって且つ前記電気回路と共にエンクロージャ(７)に取り付け可能にユニット化されている。
該具体的構成によれば、スタンド(８)が前記電気回路と共にユニット化されているので、エンクロージャ(７)に対する取り外し及び取り付けの工数が少ないものとなる。
【００１０】
又、具体的構成において、エンクロージャ(７)内のスピーカユニットから伸びるコード(33)の先端部は、スタンド(８)内に設置された回路基板上のコネクター(96)に連結されている。
該具体的構成においては、エンクロージャ(７)からスタンド(８)を取り外す際、コード(33)の先端部をコネクター(96)から切り離し、エンクロージャ(７)にスタンド(８)を取り付ける際には、コード(33)の先端部をコネクター(96)に連結する。
【００１１】
本発明に係るスピーカシステムは、少なくとも左右一対のスピーカ(３)(４)を含む複数のスピーカへそれぞれ音響信号を供給して各スピーカを鳴動させるマルチチャンネルのスピーカシステムである。
前記左右一対のスピーカ(３)(４)はそれぞれ、エンクロージャ(７)内にスピーカユニットを配備して構成され、該エンクロージャ(７)の下端部には、エンクロージャ(７)を立てた姿勢に保つためのスタンド(８)が着脱可能に連結され、少なくとも何れか一方のスピーカのスタンド(８)は、スピーカユニットへ供給すべき音響信号を増幅するための電気回路を内蔵している。
【００１２】
上記本発明のスピーカシステムにおいては、共通のラインで２つのエンクロージャ(７)(７)を製造した後、一方のエンクロージャ(７)に対して、電気回路を内蔵したスタンド(８)を連結すると共に、他方のエンクロージャ(７)に対して、電気回路を内蔵し或いは内蔵しないスタンド(８)を連結する。
【００１３】
具体的構成において、前記左右一対のスピーカ(３)(４)の内、一方のスピーカ(３)のスタンド(８)にのみ前記電気回路が内蔵され、該電気回路によって増幅された左チャンネルの音響信号と右チャンネルの音響信号が両スピーカ(３)(４)のスピーカユニットへ供給される。
該具体的構成においては、外部から供給される左チャンネル音響信号と右チャンネル音響信号が先ず前記一方のスピーカ(３)に供給され、該スピーカ(３)に内蔵されている電気回路によってそれぞれ増幅された後、両スピーカ(３)(４)のスピーカユニットへ供給されて、これらのスピーカユニットが駆動される。
【発明の効果】
【００１４】
本発明に係るスピーカ及びスピーカシステムによれば、電気回路に仕様変更があったとしてもエンクロージャ全体の設計変更を行なう必要がなく、然も、電気回路の仕様が異なる複数機種のスピーカの製造工程においてエンクロージャを共通のラインで製造することが出来る。
【発明を実施するための最良の形態】
【００１５】
以下、本発明の実施の形態につき、図面に沿って具体的に説明する。
本発明に係るスピーカシステムは、図２に示す如く、前方中央位置にセンタースピーカ(２)、前方左右に前方左チャンネルスピーカ(３)及び前方右チャンネルスピーカ(４)、後方左右に後方左チャンネルスピーカ(５)及び後方右チャンネルスピーカ(６)を配置し、これらのスピーカへＤＶＤプレーヤ等のオーディオ装置(１)からそれぞれ音響信号を供給するものである。
【００１６】
ここで前方左チャンネルスピーカ(３)はツイータ(31)(31)及びウーファ(32)(32)を具え、前方右チャンネルスピーカ(４)はツイータ(41)(41)及びツイータ(41)(41)を具え、ウーファ(32)(42)は従来のスピーカシステムにおけるサブウーファを構成しており、そのために従来の独立したサブウーファスピーカは省略されている。
一方、後方左チャンネルスピーカ(５)及び後方右チャンネルスピーカ(６)はそれぞれツイータ(51)(61)を具え、この点で従来と同様の構成を有している。
【００１７】
前方左チャンネルスピーカ(３)は、図１に示す如く、縦長筒状のエンクロージャ(７)を具え、該エンクロージャ(７)の下端部には、エンクロージャ(７)を立てた姿勢で保持するためのスタンド(８)が連結されている。
エンクロージャ(７)には、ツイータ(31)(31)を包囲する仕切り壁(71)が設けられて、エンクロージャ(７)の内部がウーファ(32)(32)のためのメイン音響空間Ｓ１とツイータ(31)(31)のためのサブ音響空間Ｓ２に仕切られている。
又、エンクロージャ(７)にはメイン音響空間Ｓ１から外部に通じるダクト(75)が取り付けられており、ウーファ(32)(32)についてバスレフレックス型のスピーカを構成している。
【００１８】
スタンド(８)の内部には、ツイータ(31)(31)及びウーファ(32)(32)へ供給すべき音響信号を増幅するための電源回路(91)及び増幅器(９)が配備され、増幅器(９)はコード(33)を介してツイータ(31)(31)及びウーファ(32)(32)に繋がっている。
これに対し、前方右チャンネルスピーカ(４)は、前方左チャンネルスピーカ(３)と同じ形状を有するエンクロージャ(７)及びスタンド(８)を有しているが、該スタンド(８)には電源回路(91)及び増幅器(９)は内蔵されていない。これは、前記オーディオ装置(１)からの右チャンネル音響信号は一旦、前方左チャンネルスピーカ(３)へ供給されて該スピーカ(３)の増幅器(９)によって増幅された上で右チャンネルスピーカ(４)へ供給される構成が採られているからである。
【００１９】
更に前方左チャンネルスピーカ(３)の具体的な構成において、ツイータ(31)(31)から伸びるコード(33)は、図３に示す如く仕切り壁(71)に開設されたスリット(72)を経て、仕切り壁(71)と一体成型された第１係止壁部(73)と第２係止壁部(74)の間を通過し、更に前記増幅器(９)へ向かって伸びている。
【００２０】
尚、図４に示す如くエンクロージャ(７)の内壁に、上下に伸びる金属棒(36)を取り付け、ツイータ(31)(31)から伸びるコード(33a)の先端を金属棒(36)の上端部に連結すると共に、前記増幅器(９)から伸びるコード(33b)の先端を金属棒(36)の下端部に連結して、ツイータ(31)(31)と増幅器(９)の間の電気的接続を図る構成を採用することが出来る。
該構成によれば、コード(33a)(33b)の全長が金属棒(36)の長さ分だけ短縮されるので、エンクロージャ(７)内に発生する音波を受けてコード(33a)(33b)が大きく振動することはない。
【００２１】
図５に示す如く、スタンド(８)は下方に開口した筐体によって構成され、スタンド(８)の上面には挿入口(86)が開設され、該挿入口(86)にエンクロージャ(７)の基端部が挿入されている。エンクロージャ(７)の下方の開口は蓋部材(76)によって塞がれており、該蓋部材(76)は、Ｌ字状の金具(79)とビス(87)を用いてエンクロージャ(７)に固定されている。
蓋部材(76)にはダクト(77)が連結されて、メイン音響空間Ｓ１内に発生する音波の出口が形成されると共に、前記ダクト(75)と共にバスレフレックス型のスピーカを構成している。
【００２２】
スタンド(８)の内部にはフレーム(81)が配備され、該フレーム(81)の上端部がビス(87)を用いてスタンド(８)の上壁に連結されている。該フレーム(81)の下端部には、回路基板(94)がビス(87)を用いて固定されている。該回路基板(94)には、前記電源回路(91)及び増幅器(９)を構成する複数の回路部品(95)やコネクター(96)が配備され、該コネクター(96)には、前記ツイータ(31)及びウーファ(32)から伸びるコード(33)の先端が連結されている。
尚、蓋部材(76)には、コード(33)を通過させるためのスリット(78)が開設されている。
【００２３】
スタンド(８)の下方開口部には底板(82)がビス(87)を用いて固定されている。該底板(82)には、複数の脚部(85)(85)が下向きに突設されると共に、複数の放音口(83)(83)が開設されている。
又、蓋部材(76)のダクト(77)の出口には、底板(82)との間に、多孔質材(84)が充填されており、これによって、ダクト(77)から音波が放出される際の風切り音の発生が防止されている。
【００２４】
上記スピーカ(３)において、ウーファ(32)の鳴動によってメイン音響空間Ｓ１に発生した音波はダクト(77)を経てエンクロージャ(７)からスタンド(８)内に向けて放出され、更に多孔質材(84)を通過した後、底板(82)の複数の放音口(83)(83)から外部へ放出される。
尚、エンクロージャ(７)とスタンド(８)の連結構造に関する限り、図２に示す前方右チャンネルスピーカ(４)、後方左チャンネルスピーカ(５)及び後方右チャンネルスピーカ(６)も同様の構造を有している。
【００２５】
図２に示す本発明のスピーカシステムによれば、前方左チャンネルスピーカ(３)及び前方右チャンネルスピーカ(４)のそれぞれにツイータ(31)(41)及びウーファ(32)(42)が配備されており、該ウーファ(32)(42)によって従来のスピーカシステムにおけるサブウーファが構成されているので、従来の如くサブウーファスピーカを独立して設置する必要はない。これによってスピーカ設置スペースが削減される。
又、ウーファ(32)(42)のフィルター特性が多少急峻度の低いものであって中域周波数の音響が僅かに出力されたとしても、該音響は左右のウーファ(32)(42)から同様に出力されるので、左右のバランスが保たれることになる。
【００２６】
ここで、図１に示す如く、エンクロージャ(７)内のウーファ(32)(32)が配備されているメイン音響空間Ｓ１とツイータ(31)(31)が配備されているサブ音響空間Ｓ２とは仕切り壁(71)によって仕切られているので、ウーファ(32)(32)から発せられる低域の音響とツイータ(31)(31)から発せられる中高域の音響とがエンクロージャ(７)内で干渉することはない。
【００２７】
更に、図５に示すスピーカ構造においては、スタンド(８)に回路基板(94)を内蔵したスタンドユニットが構成されているので、スタンド(８)を回路基板(94)と共にエンクロージャ(７)から取り外し、仕様の異なる回路基板(94)を内蔵した別のスタンド(８)と交換することが可能である。これによって、例えば電源回路及び増幅器の仕様変更の際、新たな仕様に応じたスタンドユニットと交換することによって、様々な仕様に応じたスピーカシステムを実現することが出来る。
又、左チャンネルスピーカ(３)に回路基板(94)を内蔵し、右チャンネルスピーカ(４)に回路基板(94)を内蔵しないスピーカシステムにおいては、両スピーカ(３)(４)でエンクロージャ(７)を共通仕様とすることが可能である。
【００２８】
更に又、仕様の異なる複数機種のスピーカの製造工程においては、エンクロージャ(７)を共通のラインで製造し、該エンクロージャ(７)に対して、仕様に応じた電源回路(91)及び増幅器(９)を内蔵したスタンド(８)を連結することにより、複数機種のスピーカを製造することが出来る。
【００２９】
尚、本発明の各部構成は上記実施の形態に限らず、特許請求の範囲に記載の技術的範囲内で種々の変形が可能である。例えば、図２に示すスピーカシステムにおいては、前方の左右一対のスピーカ(３)(４)にそれぞれウーファ(32)(42)を配備しているが、これに替えて、後方の左右一対のスピーカ(５)(６)にそれぞれウーファ(32)(42)を配備する構成や、４つの全てのスピーカ(３)(４)(５)(６)の全てにウーファを配備する構成を採用することも可能である。
【００３０】
又、図６に示す如く、エンクロージャ(７)内に補助基板(97)を取り付けて、該補助基板(97)上に配備したコネクター(98)にコード(33)の先端を連結し、該補助基板(97)上に配備した雄コネクター(90)とスタンド(８)内の回路基板(94)上に配備した雌コネクター(99)とを互いに連結することにより、コード(33)と回路基板(94)の接続を図る構成を採用することも可能である。該構成によれば、エンクロージャ(７)にスタンド(８)を組み付ける作業によって、回路基板(94)上の雌コネクター(99)が補助基板(97)上の雄コネクター(90)に連結されることになるので、コード(33)を回路基板(94)に接続するための特別な作業は不要となり、組立工程が簡易なものとなる。
【図面の簡単な説明】
【００３１】
【図１】本発明に係るスピーカの基本的な構成を示す断面図である。
【図２】本発明に係るスピーカシステムの構成を示す斜視図である。
【図３】仕切り壁からコードを引き出すための構造を示す断面図である。
【図４】コードの振動を防止するための構造を示す側面図である。
【図５】エンクロージャとスタンドの連結部の構造を示す断面図である。
【図６】コードを回路基板に接続するための他の構造を示す側面図である。
【図７】従来のスピーカシステムの構成を示す斜視図である。
【図８】従来のスピーカの断面図である。
【符号の説明】
【００３２】
(１)  オーディオ装置
(２)  センタースピーカ
(３)  前方左チャンネルスピーカ
(31)  ツイータ
(32)  ウーファ
(33)  コード
(36)  金属棒
(４)  前方右チャンネルスピーカ
(５)  後方左チャンネルスピーカ
(６)  後方右チャンネルスピーカ
(７)  エンクロージャ
(71)  仕切り壁
(８)  スタンド
(81)  フレーム
(82)  底板
(83)  放音口
(84)  多孔質材
(９)  増幅器
(91)  電源回路
(94)  回路基板
(95)  回路部品
【図１】
2005064642.tif 000003
【図２】
2005064642.tif 000004
【図３】
2005064642.tif 000005
【図４】
2005064642.tif 000006
【図５】
2005064642.tif 000007
【図６】
2005064642.tif 000008
【図７】
2005064642.tif 000009
【図８】
2005064642.tif 000010